(57)【特許請求の範囲】
【請求項１】
マイコンのポート出力によってカウントするタイム値を設定するＬＳ３７３（４）と、マイコンのポート出力によって与えられたカウントスタート信号でカウントを始めるＬＳ１６１（５）とをＬＳ６８８（６）に接続し、ＬＳ３７３（４）のカウントタイム設定値とＬＳ１６１（５）のカウント値を比較することで、ＬＳ１６１（５）のカウント値がＬＳ３７３（４）のカウントタイム設定値に達したらＬＳ６８８（６）の出力信号で自動的にコンセント（７）をオンすることができ、なおかつマイコンのポート出力によって任意にコンセント（７）をオフする信号を発生することができる回路で、マイコン電源オンオフ時にマイコン側から発生する接点ノイズやその他の発生ノイズにより回路内の正常な動作を損なわれないために、ＬＳ２４５（１）によるバッファーがマイコンのポート出力信号線と、マイコンのポート出力信号が入力される回路の信号線との間に配され、パスコン（２）が電源とグランドとの間に配され、コンデンサと抵抗によるリセット信号を制御するための接続回路（３）がマイコンのポート出力信号線に接続されたＬＳ２４５（１）によるバッファーの出力に接続されているマイコンコントロールタイマー装置回路と、マイコン電源オンオフ時や使用場所の他の使用電気機器から電源を経て侵入する電源ノイズをカットするためのノイズフィルター（８）を備えたＡＣ電源コンセント（９）、及び、マイコンコントロールタイマー装置回路から発生されたコンセント（７）をオンオフする信号を得て、付属するコンセント（７）へ供給されるＡＣ電源がオンオフできる、オンリレー（１０）・オフリレー（１１）付コンセント（７）とを有するオンリレー（１０）・オフリレー（１１）付コンセント（７）装置回路とを接続端子（１２）でつなぎ合わすことで構成されるもので、マイコン本体の電源をコンセント（７）に接続した場合には、ソフトによりマイコンのポート出力から発生した信号によってマイコン本体の電源のオンオフを時間的に自動化できるようになる装置回路。
【請求項２】
センサーの入力待ち状態を任意に設定できる入力状態設定回路（１６）と入力状態をラッチするＬＳ７４（１７）が有って、センサーの入力状態が入力状態設定回路（１６）に設定された状態に対し変化したら、その変化した入力状態をＬＳ７４（１７）にラッチし、それによってＬＳ７４（１７）は、自動的にコンセント（７）をオンする命令信号を発生し、なおかつマイコンのポート出力によって任意にコンセント（７）をオフする信号を発生することができる回路に、マイコン電源オンオフ時にマイコン側から発生する接点ノイズやその他の発生ノイズにより、回路内の正常な動作を損なわれないためのＬＳ２４５（１３）によるバッファーをマイコンのポート出力信号線と、マイコンのポート出力信号が入力される回路の信号線との間に配置し、パスコン（１４）を電源とグランドとの間や入力状態設定回路（１６）とＬＳ７４（１７）の間の信号線とグランドとの間に配置し、コンデンサと抵抗によるリセット信号を制御するための接続回路（１５）がマイコンのポート出力信号線に接続されているセンサー入力対応装置回路と、マイコン電源オンオフ時や使用場所の他の使用電気機器から電源を経て侵入する電源ノイズをカットするためのノイズフィルター（８）を備えたＡＣ電源コンセント（９）、及び、センサー入力対応装置回路から発生されたコンセント（７）をオンオフする信号を得て、付属するコンセント（７）へ供給されるＡＣ電源がオンオフできる、オンリレー（１０）・オフリレー（１１）付コンセント（７）とを有するオンリレー（１０）・オフリレー（１１）付コンセント（７）装置回路とを接続端子（１２）でつなぎ合わすことで構成されるもので、マイコン本体の電源をコンセント（７）に接続した場合には、センサー入力の変化によって発生するコンセント（７）のオン信号と、ソフトによりマイコンのポート出力から発生したコンセント（７）をオフする信号とによって、マイコン本体の電源のオンオフをセンサー入力状態により自動化できるようになる装置回路。
【発明の詳細な説明】
【０００１】
【産業上の利用分野】
状態変化を監視するプログラムなどを実行中のマイコンの場合に、状態変化のセンサー入力がない限り、そのマイコンはある条件にセンサー入力が変化するのをウエイトしているだけである。
それを見ると、長時間ただ電源オンしてあるだけで利用価値のない時間を随分無駄に電源オンしてあるように感ずることがあるが、本発明は、そういう場合に、その無駄な時間をマイコンがソフト的に自動判別し、マイコン自身の本体電源をマイコン自身の発生する信号で、自動的にオフしたり、本発明の装置回路の任意に設定した条件で発生する信号で、再度自動的にオンしたりできるようにするための周辺装置回路の発明である。
【０００２】
【従来の技術】
従来よりマイコンは、事務的用途の計算機としてや、工業用の制御用として多方面に利用されているが、それらは、マイコン本体の電源を、ソフト使用時には常時オンしておかなければならないのが、当然マイコン使用の常識であり、一度立ち上げたプログラムが、そのフロー上でマイコン本体自身の電源をオフして、いったんそのプログラムを放棄し、外部センサーやタイマーの入力条件があったら再起動し、再びそのプログラムを電源オフ以前のフローに継続して実行し続けるなどという考え方は、一般的なことではなかった。
ただし、従来より、ただ単にマイコン電源をオンしたりオフしたりするための装置としては、オーディオタイマー等のＡＣ電源オンオフ機能を利用することが考えられたり、それとマイコンのＤＯＳ上に存在するＡＵＴＯＥＸＥＣ．ＢＡＴ機能やｓｅｔｉｎｆ機能などを併用して、時間的に自由なプログラムの起動やマイコンオフをすることは可能だった。
また、マイコン側から他の装置の電源のオンオフをコントロールするためのコントロールコンセント等の類は、製品化されているものもあった。
【０００３】
【発明が解決しようとする課題】
最近ではマイコンは、いたるところで見受けられるほど市場に普及しているが、不必要な時間にマイコンのソフト画面だけが、電源オンのまま誰もそばにいないのにウエイトしている場面を見ると、その無駄な時間のマイコン電源の電力節約はできないかとか、必要なときだけマイコンが自動的に電源をオンして立ち上がって起動してくれないかと思うことはしばしばである。
そこで、マイコン自身の本体電源のオンオフを、ひとつのプログラム上でサブルーチン的に必要なときだけジャンプして実行し制御できる装置があれば、設定した条件でマイコンの電源を自動的にオンし、不必要ならソフトの判断能力だけでマイコン電源をオフする新しいマイコンプログラムフローの思想を構築できるようになれると思われ、本発明はそれを実現する装置の開発を課題とすることにした。
【０００４】
【課題を解決するための手段】
課題解決の手段の装置構成としては、一つの独立したプログラムフロー上で、マイコン本体の電源が断続するプログラムを構成する場合に、プログラムするソフトのマイコン電源をオンオフする必要条件というものは、時間的条件とある外部状態を監視する場合のようなセンサーの入力待ちの２つの場合に分類できると考え、以下の請求項１に値する（イ）と、請求項２に値する（ロ）の手段を発明した。
（イ）  請求項１に関しては、マイコンのポート出力によって任意にコンセント（７）をオフする信号を発生することができ、なおかつカウント値をポート出力により設定することで、カウントスタート信号でカウントを始めたカウント値が設定値に達すると、自動的にコンセント（７）がオンする信号を発生できるマイコンコントロールタイマー装置回路（図１）、及び、その信号を受けてコンセント（７）を自動的にオンオフし、接続された装置の電源を自由に操作できるオンリレー（１０）・オフリレー（１１）付コンセント（７）装置回路（図２）との組み合わせによるもので、その装置の回路内容は、マイコン電源オンオフ時にマイコン側から発生する接点ノイズやその他の発生ノイズにより、回路内の正常な動作を損なはれないためのＬＳ２４５（１）によるバッファーとパスコン（２）、及び、コンデンサと抵抗によるリセット信号を制御するための接続回路（３）とを有し、マイコンのポート出力によってＬＳ３７３（４）へカウントするタイム値を設定し、同じくマイコンのポート出力によって与えられたカウントスタート信号でカウントを始めたＬＳ１６１（５）のカウント値を、ＬＳ６８８（６）でＬＳ３７３（４）のカウントタイム設定値と比較し、ＬＳ１６１（５）のカウント値が設定値に達したら、自動的にコンセント（７）をオンする信号を発生することができ、なおかつマイコンのポート出力によって任意にコンセント（７）をオフする信号を発生することができるマイコンコントロールタイマー装置回路（図１）と、マイコン電源オンオフ時や使用場所の他の使用電気機器から電源を経て侵入する電源ノイズをカットするためのノイズフィルター（８）を配した、本発明装置のためのＡＣ電源コンセント（９）を有する、前記回路から発生されたコンセント（７）をオンオフする信号で、付属するコンセント（７）へ供給されるＡＣ電源が、オンオフできるオンリレー（１０）・オフリレー（１１）付コンセント（７）装置回路（図２）とを接続端子（１２）でつなぎ合わすことで構成され、マイコン本体の電源をコンセント（７）に接続した場合には、ソフトによってマイコン本体の電源のオンオフを時間的に自動化できるようになる装置回路である。
（ロ）  請求項２に関しては、マイコンのポート出力によって任意にコンセント（７）をオフする信号を発生することができ、なおかつ入力状態設定回路（１６）で設定された条件のセンサー入力状態になると、自動的にコンセント（７）がオンする信号を発生できるセンサー入力対応装置回路（図３）、及び、その信号を受けてコンセント（７）を自動的にオンオフし、接続された装置の電源を自由に操作できるオンリレー（１０）・オフリレー（１１）付コンセント（７）装置回路（図２）との組み合わせによるもので、その装置の回路内容は、マイコン電源オンオフ時にマイコン側から発生する接点ノイズやその他の発生ノイズにより、回路内の正常な動作を損なわれないためのＬＳ２４５（１３）によるバッファーとパスコン（１４）、及び、コンデンサと抵抗によるリセット信号を制御するための接続回路（１５）とを有し、センサーの入力状態が入力状態設定回路（１６）に設定された状態に対し変化したら、その変化した入力状態をＬＳ７４（１７）にラッチすると同時に、自動的にコンセント（７）をオンする命令信号を発生でき、なおかつマイコンのポート出力によって任意にコンセント（７）をオフする信号を発生することができるセンサー入力対応装置回路（図３）と、請求項１に示したものと同じ、本発明装置のためのＡＣ電源コンセント（９）を有する、前記回路から発生されたコンセント（７）をオンオフする信号で、付属するコンセント（７）のＡＣ電源が、オンオフできるオンリレー（１０）・オフリレー（１１）付コンセント（７）装置回路（図２）とを接続端子（１２）でつなぎ合わすことで構成され、マイコン本体の電源をコンセント（７）に接続した場合には、センサー入力の変化によって発生するコンセント（７）のオン信号と、ソフトによりマイコンのポート出力から発生したコンセント（７）をオフする信号とによって、マイコン本体の電源のオンオフをセンサー入力状態により自動化できるようになる装置回路である。
以上の（イ）、（ロ）の如く構成された装置回路により解決課題に示すような問題を解決することができる。
【０００５】
【作用】
請求項１、請求項２に示した論理回路の機能構成や、課題解決の手段に示した装置の設定を、マイコン本体の外部に接続する周辺装置（マイコン本体のオプション）として接続してやることにより、マイコン本体の電源をコンセント（７）に接続しておけば、ソフトウエアでマイコン本体の電源のオンオフが可能になるので、まず任意のプログラムを立ち上げ、そのフロー上でマイコンオン時のソフト上の連結条件を決め、マイコンオフ後の条件設定をポート出力により装置回路へ設定した後、マイコン本体自信の電源をオフするよう指示すれば、マイコンはソフトの入ったフロッピーディスクがディスクドライブに入ったまま電源オフすることにはなるが、そのフロッピーディスクをその状態のままにしておけば、マイコンはいったんそのプログラムを放棄し電源オフしてしまった後なのに、外部センサーやタイマーが設定条件になったらコンセント（７）をオンする信号が発生し、マイコンが再起動し、マイコンにあるｓｅｔｉｎｆ機能やＡＵＴＯＥＸＥＣ．ＢＡＴ機能などと称すソフト自動立ち上げの機能を利用して、再びそのプログラムを電源オフ以前のフローに継続して実行し続けることが可能になる。
また、フロッピーディスクがディスクドライブに入ったまま電源オフすること、そのフロッピーディスクをその状態のままにしておくことは、従来のフロッピードライブやフロッピーディスクの正しい使用法に反してはいるが、数回試用してフロッピーディスクへの損傷を確かめたが、現在のところ別段何の支障も発生していない。
【０００６】
【実施例】
作用の項に示したように、コンセント（７）にマイコン本体の電源を接続しておけば、ソフトウエアのフロー上に、サブルーチン的発想でマイコン本体の電源のオンオフを存在できるようになるので、コンピューター自信の処理機能などが不必要な長時間に及ぶセンサー入力待ちや、入力者待ちのプログラムとか、今から数時間後の何時にＢＥＥＰ音を鳴らせば良いだけなどという、次の実行処理までマイコン電源がオンしていても意味のない待ち時間を長時間有するようなプログラムの場合、マイコン自身がその条件時までマイコンの電源をソフトフローの一部としてオフし、設定条件時になると自動的に電源オンして再起動し必要な処理を実行する機能を持てるようになる。
また請求項２で、入力状態設定回路（１６）の部分もポート出力で任意に設定できるＩＣ回路に設計すれば、もっと利用しやすいものになると言える。
タイムクロックジェネレータ（１８）は、ハード設計時に必要に応じて任意のクロック時間を設定すると良い。
【０００７】
【発明の効果】
以上のような装置回路の実現により、マイコン電源の時間的オンオフとセンサー入力による条件的オンオフが可能になるので、出勤者タイムカードソフトを８時から８時半まで、９時まで朝礼ソフト、１１時から帳簿ソフト、１２時から昼時間ソフト、１０時と１５時に休み時間ソフト、１７時には退社タイムカードソフト、それ以後は、時間外用ガードマンソフトが監視カメラセンサー入力と連動して起動し、時間的に１０分も戸締まり忘れ等の入力信号がないと再び電源オフして、不審者侵入等のセンサー入力があれば、その時間外用ガードマンソフトが再起動するなど、１台のマイコンで２４時間を通じたマイコン電源は断続的なマイコンフル稼動の会社管理などが可能になり、あとはマイコン電源のオンオフによる電力節約を考え併せたプログラマーの自由な発想でソフトワーク設計が実現できるようになる。
【図面の簡単な説明】
【図１】  マイコンコントロールタイマー装置回路回路図
【図２】  オンリレー・オフリレー付コンセント装置回路回路図
【図３】  センサー入力対応装置回路回路図
【符号の説明】
（１）はＬＳ２４５
（２）はパスコン
（３）は接続回路
（４）はＬＳ３７３
（５）はＬＳ１６１
（６）はＬＳ６８８
（７）はオンリレー・オフリレー付きコンセント
（８）はノイズフィルター
（９）はコンセント  （本発明装置回路電源用）
（１０）はオンリレー
（１１）はオフリレー
（１２）は接続端子
（１３）はＬＳ２４５
（１４）はパスコン
（１５）は接続回路
（１６）は入力状態設定回賂
（１７）はＬＳ７４
（１８）はタイムクロックジェネレータ
【図１】
0003991124.tif 000002
【図２】
0003991124.tif 000003
【図３】
0003991124.tif 000004